(57)【特許請求の範囲】
【請求項１】
チャネル状態情報(CSI)レポートの適用時間を決定するための方法であって、
ユーザ機器(UE)により、基地局によって送信された構成メッセージを受信し、CSIレポートを報告するためにセカンダリセルによって使用される物理アップリンク制御チャネル(PUCCH)の種類を前記構成メッセージに従って決定するステップと、
前記UEにより、前記基地局によって送信され、かつセル識別情報を運ぶセカンダリセルアクティブ化コマンドを受信するステップと、
前記UEにより、前記CSIレポートを報告するために前記セカンダリセルによって使用される前記PUCCHの前記種類および前記セカンダリセルアクティブ化コマンドに従って、前記セル識別情報に対応するセカンダリセルのCSIレポートの適用時間を決定するステップとを含み、
前記CSIレポートを報告するために前記セカンダリセルによって使用される前記PUCCHの前記種類および前記セカンダリセルアクティブ化コマンドに従って、前記セル識別情報に対応するセカンダリセルのCSIレポートの適用時間を決定する前記ステップが、
前記CSIレポートを報告するために前記セル識別情報に対応する前記セカンダリセルによって使用されるPUCCHの種類がセカンダリセルのPUCCHであり、かつ前記セル識別情報に対応する前記セカンダリセルがPUCCHを含むセカンダリセルである場合に、
（１）前記セル識別情報に対応する前記セカンダリセルがアクティブ化された後、かつ前記セカンダリセルアクティブ化コマンドが受信された後の予め設定された時点の後に、または
（２）前記セル識別情報に対応する前記セカンダリセルがアクティブ化された後で、かつ前記UEが前記基地局にチャネルサウンディング基準信号(SRS)を送信した後に、または
（３）前記セル識別情報に対応する前記セカンダリセルがアクティブ化された後で、かつ前記UEが前記基地局にプリアンブルを送信した後に、
前記UEにより、前記セル識別情報に対応する前記セカンダリセルの前記CSIレポートを適用し始めるステップを含む、方法。
【請求項２】
前記CSIレポートを報告するために前記セカンダリセルによって使用される前記PUCCHの前記種類および前記セカンダリセルアクティブ化コマンドに従って、前記セル識別情報に対応するセカンダリセルのCSIレポートの適用時間を決定する前記ステップが、
前記CSIレポートを報告するために前記セル識別情報に対応する前記セカンダリセルによって使用されるPUCCHの種類がプライマリセルのPUCCHである場合に、前記セカンダリセルアクティブ化コマンドが受信された後の予め設定された時点で、前記UEにより、前記セル識別情報に対応する前記セカンダリセルの前記CSIレポートを適用し始めるステップを含む請求項１に記載の方法。
【請求項３】
前記CSIレポートを報告するために前記セカンダリセルによって使用される前記PUCCHの前記種類および前記セカンダリセルアクティブ化コマンドに従って、前記セル識別情報に対応するセカンダリセルのCSIレポートの適用時間を決定する前記ステップが、
前記CSIレポートを報告するために前記セル識別情報に対応する前記セカンダリセルによって使用されるPUCCHの種類がセカンダリセルのPUCCHである場合に、前記UEにより、PUCCHを含むセカンダリセルがアクティブ状態であるかどうかを判定するステップ、および
前記PUCCHを含む前記セカンダリセルがアクティブ状態である場合に、前記セカンダリセルアクティブ化コマンドが受信された後の予め設定された時点で、前記UEにより、前記セル識別情報に対応する前記セカンダリセルの前記CSIレポートを適用し始めるステップ、または
前記PUCCHを含む前記セカンダリセルが非アクティブ状態である場合に、前記PUCCHを含む前記セカンダリセルのCSIレポートの適用時間に従って、前記UEにより、前記セル識別情報に対応する前記セカンダリセルの前記CSIレポートの前記適用時間を決定するステップを含む請求項１に記載の方法。
【請求項４】
前記セル識別情報に対応する前記セカンダリセルの前記CSIレポートの前記適用時間が、前記セル識別情報に対応する前記セカンダリセルの前記CSIレポートが前記適用時間に対応する現時点のCSIレポートおよびその後のCSIレポートの中で運ばれることを含む請求項１から３のいずれか一項に記載の方法。
【請求項５】
前記セカンダリセルアクティブ化コマンドが受信された後の予め設定された時点で、前記UEにより、前記セル識別情報に対応する前記セカンダリセルの非アクティブ化タイマーを始動するステップ、または
前記セカンダリセルアクティブ化コマンドが受信された後の予め設定された時点の後に、前記UEにより、以下の動作、すなわち、前記基地局にリスニング基準信号を送信する動作、前記基地局にスケジューリング要求信号を送信する動作、もしくは物理ダウンリンク制御チャネルをリスニングする動作のうちの少なくとも1つを実行するステップをさらに含む請求項１に記載の方法。
【請求項６】
チャネル状態情報(CSI)レポートの適用時間を決定するための装置であって、
基地局によって送信された構成メッセージを受信するように構成された受信モジュールと、
CSIレポートを報告するためにセカンダリセルによって使用される物理アップリンク制御チャネル(PUCCH)の種類を、前記受信モジュールによって受信された前記構成メッセージに従って決定するように構成された決定モジュールとを含み、
前記受信モジュールが、前記基地局によって送信され、かつセル識別情報を運ぶセカンダリセルアクティブ化コマンドを受信するようにさらに構成され、
前記決定モジュールが、前記CSIレポートを報告するために前記セカンダリセルによって使用される前記PUCCHの前記種類および前記セカンダリセルアクティブ化コマンドに従って、前記セル識別情報に対応するセカンダリセルのCSIレポートの適用時間を決定するようにさらに構成され、
前記決定モジュールが、
前記CSIレポートを報告するために前記セル識別情報に対応する前記セカンダリセルによって使用されるPUCCHの種類がセカンダリセルのPUCCHであり、かつ前記セル識別情報に対応する前記セカンダリセルがPUCCHを含むセカンダリセルである場合に、
（１）前記セル識別情報に対応する前記セカンダリセルがアクティブ化された後、かつ前記受信モジュールが前記セカンダリセルアクティブ化コマンドを受信した後の予め設定された時点の後に、または
（２）前記セル識別情報に対応する前記セカンダリセルがアクティブ化された後、かつ送信モジュールが前記基地局にチャネルサウンディング基準信号(SRS)を送信した後に、または
（３）前記セル識別情報に対応する前記セカンダリセルがアクティブ化された後、かつ前記送信モジュールが前記基地局にプリアンブルを送信した後に、
前記セル識別情報に対応する前記セカンダリセルの前記CSIレポートを適用し始めるように特に構成される、装置。
【請求項７】
前記決定モジュールが、
前記CSIレポートを報告するために前記セル識別情報に対応する前記セカンダリセルによって使用されるPUCCHの種類がプライマリセルのPUCCHである場合に、前記受信モジュールが前記セカンダリセルアクティブ化コマンドを受信した後の予め設定された時点で、前記セル識別情報に対応する前記セカンダリセルの前記CSIレポートを適用し始めるように特に構成される請求項６に記載の装置。
【請求項８】
プロセッサと、
非一時的メモリとを含み、前記メモリが実行命令を記憶し、ユーザ機器が動作するときに、前記プロセッサが前記実行命令を実行して、基地局が以下のステップ、すなわち、
基地局によって送信された構成メッセージを受信し、チャネル状態情報(CSI)レポートを報告するためにセカンダリセルによって使用される物理アップリンク制御チャネル(PUCCH)の種類を前記構成メッセージに従って決定するステップと、
前記基地局によって送信され、セル識別情報を運ぶセカンダリセルアクティブ化コマンドを受信するステップと、
前記CSIレポートを報告するために前記セカンダリセルによって使用される前記PUCCHの前記種類および前記セカンダリセルアクティブ化コマンドに従って、前記セル識別情報に対応するセカンダリセルのCSIレポートの適用時間を決定するステップと
を実行することを可能にし、
前記CSIレポートを報告するために前記セカンダリセルによって使用される前記PUCCHの前記種類および前記セカンダリセルアクティブ化コマンドに従って、前記セル識別情報に対応するセカンダリセルのCSIレポートの適用時間を決定する前記ステップが、
前記CSIレポートを報告するために前記セル識別情報に対応する前記セカンダリセルによって使用されるPUCCHの種類がセカンダリセルのPUCCHであり、かつ前記セル識別情報に対応する前記セカンダリセルがPUCCHを含むセカンダリセルである場合に、
（１）前記セル識別情報に対応する前記セカンダリセルがアクティブ化された後、かつ前記セカンダリセルアクティブ化コマンドが受信された後の予め設定された時点の後に、または
（２）前記セル識別情報に対応する前記セカンダリセルがアクティブ化された後で、かつユーザ機器(UE)が前記基地局にチャネルサウンディング基準信号(SRS)を送信した後に、または
（３）前記セル識別情報に対応する前記セカンダリセルがアクティブ化された後で、かつ前記UEが前記基地局にプリアンブルを送信した後に、
前記UEにより、前記セル識別情報に対応する前記セカンダリセルの前記CSIレポートを適用し始めるステップを含む、デバイス。
【請求項９】
チャネル状態情報(CSI)レポートの適用時間を決定するための装置であって、請求項１から５のいずれか一項に記載の方法を実行するように構成されるハードウェアデバイスを含む、装置。
【請求項１０】
プログラムが実行されるときに請求項１から５のいずれか一項に記載の方法が実行されることを特徴とする、プログラムを記憶するコンピュータ可読ストレージ媒体。
【請求項１１】
請求項１から５のいずれか一項に記載の方法をコンピュータに実行させるプログラム。
【発明の詳細な説明】
【技術分野】
【０００１】
本発明は、通信技術に関し、特に、CSIレポートの適用時間を決定するための方法および装置、ならびにデバイスに関する。
【背景技術】
【０００２】
キャリアアグリゲーション(Carrier Aggregation、略してCA)は、通信プロセスにおいて使用されるキャリアの量が1つだけに制限されず、通信が1つのプライマリコンポーネントキャリアおよびいくつかのセカンダリコンポーネントキャリア上で同時に実行されることを意味する。キャリアアグリゲーション機能を有するUEがアグリゲーションを行うセルは、1つのプライマリセルおよびいくつかのセカンダリセルに分類される。
【０００３】
従来技術においては、通常、ユーザ機器(User Equipment、略してUE)が、プライマリセルの物理アップリンク制御チャネル(physical uplink control channel、略してPUCCH)を使用することによって、すべてのセルのチャネル状態情報(channel status information、CSI)を基地局に報告する。特に、UEが基地局によって送信されたセカンダリセルアクティブ化コマンドをサブフレームNにおいて受信すると、UEは、予め設定された時間(N+8)に、アクティブ化されたセカンダリセルのCSIを運ぶCSIレポートを基地局に送信し始める。非アクティブなセカンダリセルに関しては、UEが有効なCSIを得る時間が、UEによる非アクティブなセカンダリセルの追跡状態(tracking state)によって変わり得る。UEが、予め設定された時間の始めに、CSIレポートのための有効なCSI測定値を取得していないことがあり得る。この場合、UEは、UEが有効な測定値を取得していないことを基地局に知らせるために、CSIを特別な測定値で埋める必要がある。UEは、有効なCSI測定値を取得し始めるまで、通常のCSI測定値を入れ始めない。
【０００４】
プライマリセルのPUCCHを使用することによってすべてのセルのCSIが基地局に報告されるので、プライマリセルのPUCCHの負荷が過度に高くなる。したがって、一部のセカンダリセルがセカンダリセルのPUCCHを使用することによって基地局にCSIレポートを報告するように、セカンダリセルにPUCCHを導入することが、3GPPにおいて現在検討されている。しかし、PUCCHが導入されるセカンダリセルは、非アクティブ状態である可能性がある。この場合、セカンダリセルが予め設定された時間にCSIの報告を開始することが、保障され得ない。したがって、システムの信頼性が損なわれる。
【発明の概要】
【課題を解決するための手段】
【０００５】
本発明の実施形態は、システムの信頼性を高めるために、CSIレポートの適用時間を決定するための方法および装置、ならびにデバイスを提供する。
【０００６】
第1の態様によれば、本発明の実施形態が、CSIレポートの適用時間を決定するための方法であって、
ユーザ機器UEにより、基地局によって送信された構成メッセージを受信し、CSIレポートを報告するためにセカンダリセルによって使用される物理アップリンク制御チャネルPUCCHの種類を構成メッセージに従って決定するステップと、
UEにより、基地局によって送信され、セル識別情報を運ぶセカンダリセルアクティブ化コマンドを受信するステップと、
UEにより、CSIレポートを報告するためにセカンダリセルによって使用されるPUCCHの種類およびセカンダリセルアクティブ化コマンドに従って、セル識別情報に対応するセカンダリセルのCSIレポートの適用時間を決定するステップとを含む、方法を提供する。
【０００７】
第1の態様に関連して、第1の態様の第1の可能な実装においては、CSIレポートを報告するためにセカンダリセルによって使用されるPUCCHの種類およびセカンダリセルアクティブ化コマンドに従って、セル識別情報に対応するセカンダリセルのCSIレポートの適用時間を決定するステップが、
CSIレポートを報告するためにセル識別情報に対応するセカンダリセルによって使用されるPUCCHの種類がプライマリセルのPUCCHである場合に、セカンダリセルアクティブ化コマンドが受信された後の予め設定された時点で、UEにより、セル識別情報に対応するセカンダリセルのCSIレポートを適用し始めるステップを含む。
【０００８】
第1の態様に関連して、第1の態様の第2の可能な実装においては、CSIレポートを報告するためにセカンダリセルによって使用されるPUCCHの種類およびセカンダリセルアクティブ化コマンドに従って、セル識別情報に対応するセカンダリセルのCSIレポートの適用時間を決定するステップが、
CSIレポートを報告するためにセル識別情報に対応するセカンダリセルによって使用されるPUCCHの種類がセカンダリセルのPUCCHであり、セル識別情報に対応するセカンダリセルがPUCCHを含むセカンダリセルである場合に、セル識別情報に対応するセカンダリセルがアクティブ化された後、かつセカンダリセルアクティブ化コマンドが受信された後の予め設定された時点の後に、UEにより、セル識別情報に対応するセカンダリセルのCSIレポートを適用し始めるステップを含む。
【０００９】
第1の態様に関連して、第1の態様の第3の可能な実装においては、CSIレポートを報告するためにセカンダリセルによって使用されるPUCCHの種類およびセカンダリセルアクティブ化コマンドに従って、セル識別情報に対応するセカンダリセルのCSIレポートの適用時間を決定するステップが、
CSIレポートを報告するためにセル識別情報に対応するセカンダリセルによって使用されるPUCCHの種類がセカンダリセルのPUCCHであり、セル識別情報に対応するセカンダリセルがPUCCHを含むセカンダリセルである場合に、セル識別情報に対応するセカンダリセルがアクティブ化された後、かつUEが基地局にチャネルサウンディング基準信号(sounding reference signal)SRSを送信した後に、UEにより、セル識別情報に対応するセカンダリセルのCSIレポートを適用し始めるステップを含む。
【００１０】
第1の態様に関連して、第1の態様の第4の可能な実装においては、CSIレポートを報告するためにセカンダリセルによって使用されるPUCCHの種類およびセカンダリセルアクティブ化コマンドに従って、セル識別情報に対応するセカンダリセルのCSIレポートの適用時間を決定するステップが、
CSIレポートを報告するためにセル識別情報に対応するセカンダリセルによって使用されるPUCCHの種類がセカンダリセルのPUCCHであり、セル識別情報に対応するセカンダリセルがPUCCHを含むセカンダリセルである場合に、セル識別情報に対応するセカンダリセルがアクティブ化された後、かつUEが基地局にプリアンブルを送信した後に、UEにより、セル識別情報に対応するセカンダリセルのCSIレポートを適用し始めるステップを含む。
【００１１】
第1の態様に関連して、第1の態様の第5の可能な実装においては、CSIレポートを報告するためにセカンダリセルによって使用されるPUCCHの種類およびセカンダリセルアクティブ化コマンドに従って、セル識別情報に対応するセカンダリセルのCSIレポートの適用時間を決定するステップが、
CSIレポートを報告するためにセル識別情報に対応するセカンダリセルによって使用されるPUCCHの種類がセカンダリセルのPUCCHである場合に、UEにより、PUCCHを含むセカンダリセルがアクティブ状態であるかどうかを判定するステップ、および
PUCCHを含むセカンダリセルがアクティブ状態である場合に、セカンダリセルアクティブ化コマンドが受信された後の予め設定された時点で、UEにより、セル識別情報に対応するセカンダリセルのCSIレポートを適用し始めるステップ、または
PUCCHを含むセカンダリセルが非アクティブ状態である場合に、PUCCHを含むセカンダリセルのCSIレポートの適用時間に従って、UEにより、セル識別情報に対応するセカンダリセルのCSIレポートの適用時間を決定するステップを含む。
【００１２】
第1の態様または第1の態様の第1から第5の可能な実装のいずれか1つに関連して、第1の態様の第6の可能な実装においては、セル識別情報に対応するセカンダリセルのCSIレポートの適用時間が、
セル識別情報に対応するセカンダリセルのCSIレポートが適用時間に対応する現時点のCSIレポートおよびその後のCSIレポートの中で運ばれることを含む。
【００１３】
第1の態様に関連して、第1の態様の第7の可能な実装においては、方法が、
セカンダリセルアクティブ化コマンドが受信された後の予め設定された時点で、UEにより、セル識別情報に対応するセカンダリセルの非アクティブ化タイマーを始動するステップ、または
セカンダリセルアクティブ化コマンドが受信された後の予め設定された時点の後に、UEにより、以下の動作、すなわち、基地局にリスニング基準信号を送信する動作、基地局にスケジューリング要求信号を送信する動作、もしくは物理ダウンリンク制御チャネルをリスニングする動作のうちの少なくとも1つを実行するステップをさらに含む。
【００１４】
第2の態様によれば、本発明の実施形態が、CSIレポートの適用時間を決定するための装置であって、
基地局によって送信された構成メッセージを受信するように構成された受信モジュールと、
CSIレポートを報告するためにセカンダリセルによって使用される物理アップリンク制御チャネルPUCCHの種類を、受信モジュールによって受信された構成メッセージに従って決定するように構成された決定モジュールとを含み、
受信モジュールが、基地局によって送信され、セル識別情報を運ぶセカンダリセルアクティブ化コマンドを受信するようにさらに構成され、
決定モジュールが、CSIレポートを報告するためにセカンダリセルによって使用されるPUCCHの種類およびセカンダリセルアクティブ化コマンドに従って、セル識別情報に対応するセカンダリセルのCSIレポートの適用時間を決定するようにさらに構成される、装置を提供する。
【００１５】
第2の態様に関連して、第2の態様の第1の可能な実装においては、決定モジュールが、
CSIレポートを報告するためにセル識別情報に対応するセカンダリセルによって使用されるPUCCHの種類がプライマリセルのPUCCHである場合に、受信モジュールがセカンダリセルアクティブ化コマンドを受信した後の予め設定された時点で、セル識別情報に対応するセカンダリセルのCSIレポートを適用し始めるように特に構成される。
【００１６】
第2の態様に関連して、第2の態様の第2の可能な実装においては、決定モジュールが、
CSIレポートを報告するためにセル識別情報に対応するセカンダリセルによって使用されるPUCCHの種類がセカンダリセルのPUCCHであり、セル識別情報に対応するセカンダリセルがPUCCHを含むセカンダリセルである場合に、セル識別情報に対応するセカンダリセルがアクティブ化された後、かつ受信モジュールがセカンダリセルアクティブ化コマンドを受信した後の予め設定された時点の後に、セル識別情報に対応するセカンダリセルのCSIレポートを適用し始めるように特に構成される。
【００１７】
第2の態様に関連して、第2の態様の第3の可能な実装においては、装置が、送信モジュールをさらに含み、
送信モジュールは、基地局にチャネルサウンディング基準信号SRSを送信するように構成され、
決定モジュールが、
CSIレポートを報告するためにセル識別情報に対応するセカンダリセルによって使用されるPUCCHの種類がセカンダリセルのPUCCHであり、セル識別情報に対応するセカンダリセルがPUCCHを含むセカンダリセルである場合に、セル識別情報に対応するセカンダリセルがアクティブ化された後、かつ送信モジュールが基地局にチャネルサウンディング基準信号SRSを送信した後に、セル識別情報に対応するセカンダリセルのCSIレポートを適用し始めるように特に構成される。
【００１８】
第2の態様に関連して、第2の態様の第4の可能な実装においては、装置が、送信モジュールをさらに含み、
送信モジュールは、基地局にプリアンブルを送信するように構成され、
決定モジュールが、
CSIレポートを報告するためにセル識別情報に対応するセカンダリセルによって使用されるPUCCHの種類がセカンダリセルのPUCCHであり、セル識別情報に対応するセカンダリセルがPUCCHを含むセカンダリセルである場合に、セル識別情報に対応するセカンダリセルがアクティブ化された後、かつ送信モジュールが基地局にプリアンブルを送信した後に、セル識別情報に対応するセカンダリセルのCSIレポートを適用し始めるように特に構成される。
【００１９】
第2の態様に関連して、第2の態様の第5の可能な実装においては、装置が、判断モジュールをさらに含み、
判断モジュールが、PUCCHを含むセカンダリセルがアクティブ状態であるかどうかを判定するように構成され、
決定モジュールが、
CSIレポートを報告するためにセル識別情報に対応するセカンダリセルによって使用されるPUCCHの種類がセカンダリセルのPUCCHであり、判断モジュールがPUCCHを含むセカンダリセルがアクティブ状態であると判定する場合に、受信モジュールが、セカンダリセルアクティブ化コマンドを受信した後の予め設定された時点で、セル識別情報に対応するセカンダリセルのCSIレポートを適用し始めるか、または
CSIレポートを報告するためにセル識別情報に対応するセカンダリセルによって使用されるPUCCHの種類がセカンダリセルのPUCCHであり、判断モジュールがPUCCHを含むセカンダリセルが非アクティブ状態であると判定する場合に、PUCCHを含むセカンダリセルのCSIレポートの適用時間に従って、セル識別情報に対応するセカンダリセルのCSIレポートの適用時間を決定するように特に構成される。
【００２０】
第2の態様または第2の態様の第1から第5の可能な実装のいずれか1つに関連して、第2の態様の第6の可能な実装においては、セル識別情報に対応するセカンダリセルのCSIレポートの適用時間が、セル識別情報に対応するセカンダリセルのCSIレポートが適用時間に対応する現時点のCSIレポートおよびその後のCSIレポートの中で運ばれることを含む。
【００２１】
第2の態様に関連して、第2の態様の第7の可能な実装においては、装置が、
受信モジュールがセカンダリセルアクティブ化コマンドを受信した後の予め設定された時点で、セル識別情報に対応するセカンダリセルの非アクティブ化タイマーを始動するように構成された始動モジュールと、
受信モジュールがセカンダリセルアクティブ化コマンドを受信した後の予め設定された時点の後に、以下のモジュールが以下の動作、すなわち、送信モジュールが基地局にリスニング基準信号を送信する動作、送信モジュールが基地局にスケジューリング要求信号を送信する動作、または処理モジュールが物理ダウンリンク制御チャネルをリスニングする動作のうちの少なくとも1つを実行することをトリガするように構成された処理モジュールとをさらに含む。
【００２２】
第3の態様によれば、本発明の実施形態は、
基地局によって送信された構成メッセージを受信するように構成された受信機と、
CSIレポートを報告するためにセカンダリセルによって使用される物理アップリンク制御チャネルPUCCHの種類を、受信機によって受信された構成メッセージに従って決定するように構成されたプロセッサとを含み、
受信機が、基地局によって送信され、セル識別情報を運ぶセカンダリセルアクティブ化コマンドを受信するようにさらに構成され、
プロセッサが、CSIレポートを報告するためにセカンダリセルによって使用されるPUCCHの種類およびセカンダリセルアクティブ化コマンドに従って、セル識別情報に対応するセカンダリセルのCSIレポートの適用時間を決定するように構成される、UEを提供する。
【００２３】
第3の態様に関連して、第3の態様の第1の可能な実装においては、プロセッサが、
CSIレポートを報告するためにセル識別情報に対応するセカンダリセルによって使用されるPUCCHの種類がプライマリセルのPUCCHである場合に、受信機がセカンダリセルアクティブ化コマンドを受信した後の予め設定された時点で、セル識別情報に対応するセカンダリセルのCSIレポートを適用し始めるように特に構成される。
【００２４】
第3の態様に関連して、第3の態様の第2の可能な実装においては、プロセッサが、
CSIレポートを報告するためにセル識別情報に対応するセカンダリセルによって使用されるPUCCHの種類がセカンダリセルのPUCCHであり、セル識別情報に対応するセカンダリセルがPUCCHを含むセカンダリセルである場合に、セル識別情報に対応するセカンダリセルがアクティブ化された後、かつ受信機がセカンダリセルアクティブ化コマンドを受信した後の予め設定された時点の後に、セル識別情報に対応するセカンダリセルのCSIレポートを適用し始めるように特に構成される。
【００２５】
第3の態様に関連して、第3の態様の第3の可能な実装においては、UEは、送信機をさらに含み、
送信機が、基地局にチャネルサウンディング基準信号SRSを送信するように構成され、
プロセッサが、
CSIレポートを報告するためにセル識別情報に対応するセカンダリセルによって使用されるPUCCHの種類がセカンダリセルのPUCCHであり、セル識別情報に対応するセカンダリセルがPUCCHを含むセカンダリセルである場合に、セル識別情報に対応するセカンダリセルがアクティブ化された後、かつ送信機が基地局にチャネルサウンディング基準信号SRSを送信した後に、セル識別情報に対応するセカンダリセルのCSIレポートを適用し始めるように特に構成される。
【００２６】
第3の態様に関連して、第3の態様の第4の可能な実装においては、UEが、送信機をさらに含み、
送信機が、基地局にプリアンブルを送信するように構成され、
プロセッサが、
CSIレポートを報告するためにセル識別情報に対応するセカンダリセルによって使用されるPUCCHの種類がセカンダリセルのPUCCHであり、セル識別情報に対応するセカンダリセルがPUCCHを含むセカンダリセルである場合に、セル識別情報に対応するセカンダリセルがアクティブ化された後、かつ送信機が基地局にプリアンブルを送信した後に、UEにより、セル識別情報に対応するセカンダリセルのCSIレポートを適用し始めるように特に構成される。
【００２７】
第3の態様に関連して、第3の態様の第5の可能な実装においては、プロセッサが、
CSIレポートを報告するためにセル識別情報に対応するセカンダリセルによって使用されるPUCCHの種類がセカンダリセルのPUCCHである場合に、PUCCHを含むセカンダリセルがアクティブ状態であるかどうかを判定し、
PUCCHを含むセカンダリセルがアクティブ状態である場合に、受信機がセカンダリセルアクティブ化コマンドを受信した後の予め設定された時点で、セル識別情報に対応するセカンダリセルのCSIレポートを適用し始めるか、または
PUCCHを含むセカンダリセルが非アクティブ状態である場合に、PUCCHを含むセカンダリセルのCSIレポートの適用時間に従って、セル識別情報に対応するセカンダリセルのCSIレポートの適用時間を決定するように特に構成される。
【００２８】
第3の態様または第3の態様の第1から第5の可能な実装のいずれか1つに関連して、第3の態様の第6の可能な実装においては、セル識別情報に対応するセカンダリセルのCSIレポートの適用時間が、セル識別情報に対応するセカンダリセルのCSIレポートが適用時間に対応する現時点のCSIレポートおよびその後のCSIレポートの中で運ばれることを含む。
【００２９】
第3の態様に関連して、第3の態様の第7の可能な実装においては、プロセッサが、受信機がセカンダリセルアクティブ化コマンドを受信した後の予め設定された時点で、セル識別情報に対応するセカンダリセルの非アクティブ化タイマーを始動するようにさらに構成され、または
プロセッサが、受信機がセカンダリセルアクティブ化コマンドを受信した後の予め設定された後に、送信機および/もしくはプロセッサが以下の動作、すなわち、送信機が基地局にリスニング基準信号を送信する動作、送信機が基地局にスケジューリング要求信号を送信する動作、もしくはプロセッサが物理ダウンリンク制御チャネルをリスニングする動作のうちの少なくとも1つを実行することをトリガするようにさらに構成される。
【００３０】
本発明の実施形態において提供されるCSIレポートの適用時間を決定するための方法および装置ならびにデバイスによれば、UEが、基地局によって送信された構成メッセージを受信し、CSIレポートを報告するためにセカンダリセルによって使用されるPUCCHの種類を構成メッセージに従って決定し、UEが、基地局によって送信され、セル識別情報を運ぶセカンダリセルアクティブ化コマンドを受信し、CSIレポートを報告するためにセカンダリセルによって使用されるPUCCHの種類およびセカンダリセルアクティブ化コマンドに従って、セル識別情報に対応するセカンダリセルのCSIレポートの適用時間を決定する。UEがCSIレポートを報告するためにセカンダリセルによって使用されるPUCCHの種類に従ってセカンダリセルのCSIレポートの適用時間を決定するので、セカンダリセルが予め設定された時間にCSIレポートを適用することが保証され得ないという従来技術の現象が避けられ、システムの信頼性が高められる。
【００３１】
本発明の実施形態または従来技術における技術的解決策をより明瞭に説明するために、以下で、実施形態または従来技術を説明するために必要とされる添付の図面を簡潔に説明する。明らかに、以下の説明における添付の図面は、本発明の一部の実施形態を示すに過ぎず、当業者は、創造的な努力なしにこれらの添付の図面からその他の図面を導き出すことがやはり可能である。
【図面の簡単な説明】
【００３２】
【図１】本発明によるチャネル状態情報CSIの報告時間を決定するための方法の実施形態1の概略的な流れ図である。
【図２】本発明によるCSIレポートの適用時間を決定するための装置の実施形態1の概略構造図である。
【図３】本発明によるCSIレポートの適用時間を決定するための装置の実施形態2の概略構造図である。
【図４】本発明によるCSIレポートの適用時間を決定するための装置の実施形態3の概略構造図である。
【図５】本発明によるCSIレポートの適用時間を決定するための装置の実施形態4の概略構造図である。
【図６】本発明によるCSIレポートの適用時間を決定するための装置の実施形態5の概略構造図である。
【図７】本発明によるUEの実施形態1の概略構造図である。
【図８】本発明によるUEの実施形態2の概略構造図である。
【図９】本発明によるUEの実施形態3の概略構造図である。
【発明を実施するための形態】
【００３３】
以下で、本発明の実施形態の技術的な解決策を本発明の実施形態の添付の図面を参照して明瞭および完全に説明する。明らかに、説明される実施形態は、本発明の実施形態の一部に過ぎず、すべてではない。創造的な努力なしに本発明の実施形態に基づいて当業者によって得られたすべてのその他の実施形態は、本発明の保護範囲内に入る。
【００３４】
図1は、本発明によるチャネル状態情報CSIの報告時間を決定するための方法の実施形態1の概略的な流れ図である。本発明の実施形態は、チャネル状態情報CSIの報告時間を決定するための方法を提供し、この実施形態は、UEによって実行される。図1に示されるように、この実施形態による方法は、以下のステップを含む可能性がある。
【００３５】
ステップ101. UEが、基地局によって送信された構成メッセージを受信し、CSIレポートを報告するためにセカンダリセルによって使用されるPUCCHの種類を構成メッセージに従って決定する。
【００３６】
この実施形態において、PUCCHの種類は、プライマリセルのPUCCHおよびセカンダリセルのPUCCHを含む。基地局によって送信された構成メッセージを受信した後、UEは、どのセカンダリセルがプライマリセルのPUCCHを使用することによってCSIレポートを報告し、どのセカンダリセルがセカンダリセルのPUCCHを使用することによってCSIレポートを報告するのかを構成メッセージに従って決定する。
【００３７】
たとえば、基地局は、UEのために複数のセル、たとえば8つのセル、すなわち、セル1、セル2、セル3、セル4、セル5、セル6、セル7、およびセル8を構成する。セル1はプライマリセルであり、残りのセルはセカンダリセルであり、セル1およびセル5は、PUCCHを用いて構成済みである。セル1、セル2、セル3、およびセル4のCSIレポートはプライマリセルのPUCCH、すなわち、セル1のPUCCHによって運ばれ、セル5、セル6、セル7、およびセル8のCSIレポートはセカンダリセルのPUCCH、すなわち、セル5のPUCCHによって運ばれると仮定される。
【００３８】
ステップ102. UEが、基地局によって送信され、セル識別情報を運ぶセカンダリセルアクティブ化コマンドを受信する。
【００３９】
この実施形態においては、基地局によって送信されたセカンダリセルアクティブ化コマンドが受信された後、UEが、セカンダリセルアクティブ化コマンド内で運ばれたセル識別情報に対応するセカンダリセルをアクティブ化する。セカンダリセルアクティブ化コマンドは、1つまたは複数のセル識別情報を運ぶ可能性があり、つまり、UEは、セカンダリセルアクティブ化コマンドに従って1つまたは複数のセカンダリセルをアクティブ化する可能性があることに留意されたい。
【００４０】
ステップ103. UEが、CSIレポートを報告するためにセカンダリセルによって使用されるPUCCHの種類およびセカンダリセルアクティブ化コマンドに従って、セル識別情報に対応するセカンダリセルのCSIレポートの適用時間を決定する。
【００４１】
この実施形態においては、CSIレポートを報告するためにセカンダリセルによって使用されるPUCCHの種類を決定し、セカンダリセルアクティブ化コマンドに従って対応するセカンダリセルをアクティブ化した後、UEが、CSIレポートを報告するためにセカンダリセルによって使用されるPUCCHの異なる種類に従ってアクティブ化されたセカンダリセルのCSIレポートの適用時間を決定する。
【００４２】
本発明のこの実施形態において提供されるCSIレポートの適用時間を決定するための方法によれば、UEが、基地局によって送信された構成メッセージを受信し、CSIレポートを報告するためにセカンダリセルによって使用されるPUCCHの種類を構成メッセージに従って決定し、UEが、基地局によって送信され、セル識別情報を運ぶセカンダリセルアクティブ化コマンドを受信し、CSIレポートを報告するためにセカンダリセルによって使用されるPUCCHの種類およびセカンダリセルアクティブ化コマンドに従って、セル識別情報に対応するセカンダリセルのCSIレポートの適用時間を決定する。UEがCSIレポートを報告するためにセカンダリセルによって使用されるPUCCHの種類に従ってセカンダリセルのCSIレポートの適用時間を決定するので、セカンダリセルが予め設定された時間にCSIレポートを適用することが保証され得ないという従来技術の現象が避けられ、システムの信頼性が高められる。
【００４３】
本発明の実施形態2においては、上述の方法の実施形態により、任意で、CSIレポートを報告するためにセカンダリセルによって使用されるPUCCHの種類およびセカンダリセルアクティブ化コマンドに従って、セル識別情報に対応するセカンダリセルのCSIレポートの適用時間を決定することが、
CSIレポートを報告するためにセル識別情報に対応するセカンダリセルによって使用されるPUCCHの種類がプライマリセルのPUCCHである場合に、セカンダリセルアクティブ化コマンドが受信された後の予め設定された時点で、UEにより、セル識別情報に対応するセカンダリセルのCSIレポートを適用し始めることを含む。
【００４４】
特に、UEは、セカンダリセルアクティブ化コマンド内で運ばれるセカンダリセル識別情報に従って、アクティブ化される必要があるセカンダリセルを決定し、CSIレポートを報告するためにアクティブ化される必要があるセカンダリセルによって使用されるPUCCHの種類がプライマリセルのPUCCHであることを、CSIレポートを報告するためにアクティブ化される必要があるセカンダリセルによって使用されるPUCCHの種類に従って決定する。この場合、UEは、セカンダリセルアクティブ化コマンドが受信された後の予め設定された時点で、セル識別情報に対応するセカンダリセルのCSIレポートを適用し始める。UEがセル識別情報に対応するセカンダリセルのCSIレポートを適用し始めることは、セカンダリセルのCSIレポートが適用時間に対応する現時点のCSIレポートとその後のCSIレポートとの両方の中で運ばれることを含む。特定の実施プロセスにおいて、予め設定された時点は、実際の必要に応じて設定されるか、またはUEがセカンダリセルアクティブ化コマンドを受信する時間である可能性がある。たとえば、UEがサブフレームNにおいてセカンダリセルアクティブ化コマンドを受信する場合、予め設定された時点は、サブフレーム(N+8)に対応する時点に設定される可能性があり、つまり、UEは、サブフレーム(N+8)においてセカンダリセルのCSIレポートを報告し始める。予め設定された時点の特定の値の選択は、本発明のこの実施形態において本明細書で特に限定されない。
【００４５】
本発明の実施形態3においては、上述の方法の実施形態により、任意で、CSIレポートを報告するためにセカンダリセルによって使用されるPUCCHの種類およびセカンダリセルアクティブ化コマンドに従って、セル識別情報に対応するセカンダリセルのCSIレポートの適用時間を決定することが、
CSIレポートを報告するためにセル識別情報に対応するセカンダリセルによって使用されるPUCCHの種類がセカンダリセルのPUCCHであり、セル識別情報に対応するセカンダリセルがPUCCHを含むセカンダリセルである場合に、セル識別情報に対応するセカンダリセルがアクティブ化された後、かつセカンダリセルアクティブ化コマンドが受信された後の予め設定された時点の後に、UEにより、セル識別情報に対応するセカンダリセルのCSIレポートを適用し始めること、またはセル識別情報に対応するセカンダリセルによって使用されるPUCCHの種類がセカンダリセルのPUCCHであり、セカンダリセルがPUCCHを含むセカンダリセルであり、セカンダリセルがアクティブ状態である場合に、セカンダリセルアクティブ化コマンドが受信された後の予め設定された時点の後に、セル識別情報に対応するセカンダリセルのCSIレポートを適用し始めることを含む。
【００４６】
特に、アクティブ化される必要があるセカンダリセルが、セカンダリセルアクティブ化コマンド内で運ばれるセカンダリセルのセル識別情報に従って決定され、CSIレポートを報告するためにアクティブ化される必要があるセカンダリセルによって使用されるPUCCHの種類が、CSIレポートを報告するためにアクティブ化される必要があるセカンダリセルによって使用されるPUCCHの種類に従ってセカンダリセルのPUCCHであると決定され、アクティブ化される必要があるセカンダリセルは、PUCCHを含むセカンダリセルである。この場合、セカンダリセルは、アクティブ化コマンドを受信した後にセカンダリセルのタイミング同期を完了する必要があり、同期を完了するのに費やされる時間は、UEによって測定されるセカンダリセルのチャネルの状態またはセカンダリセルのステータスに応じて変わる。結果として、UEは、異なる時点でアクティブ化を完了する。したがって、UEは、PUCCHを含むセカンダリセルが予め設定された時点でアクティブ化されているかどうかを判定する必要がある。PUCCHを含むセカンダリセルが予め設定された時点でアクティブ化されている場合、UEは、予め設定された時点で、セル識別情報に対応するセカンダリセルのCSIレポートを適用し始める。PUCCHを含むセカンダリセルが予め設定された時点でアクティブ化されていない場合、UEは、予め設定された時点の後、かつPUCCHを含むセカンダリセルがアクティブ化された後に、PUCCHを含むセカンダリセルのCSIレポートを適用し始める。たとえば、UEがサブフレームNにおいてセカンダリセルアクティブ化コマンドを受信し、予め設定された時点がサブフレーム(N+8)に対応する時点に設定されており、PUCCHを含むセカンダリセルが(N+8)の時点でアクティブ化されておらず、PUCCHを含むセカンダリセルが(N+10)の時点でアクティブ化されることが判定によって分かる場合、UEは、サブフレーム(N+10)においてセカンダリセルのCSIレポートを適用し始める。PUCCHを含むセカンダリセルが(N+8)の時点でアクティブ化されていることが判定により分かる場合、UEは、サブフレーム(N+8)においてセカンダリセルのCSIレポートを適用し始める。UEがセル識別情報に対応するセカンダリセルのCSIレポートを適用し始めることは、セカンダリセルのCSIレポートが適用時間に対応する現時点のCSIレポートとその後のCSIレポートとの両方の中で運ばれることを含む。特定の実施プロセスにおいて、予め設定された時点は、実際の必要に応じて設定されるか、またはUEがセカンダリセルアクティブ化コマンドを受信する時間である可能性があり、予め設定された時間の期間が、実際の必要または経験に従って設定される可能性がある。予め設定された時点および予め設定された時間の期間の特定の値の選択は、本発明のこの実施形態において本明細書で特に限定されない。
【００４７】
本発明の実施形態4においては、上述の方法の実施形態により、任意で、CSIレポートを報告するためにセカンダリセルによって使用されるPUCCHの種類およびセカンダリセルアクティブ化コマンドに従って、セル識別情報に対応するセカンダリセルのCSIレポートの適用時間を決定することが、
CSIレポートを報告するためにセル識別情報に対応するセカンダリセルによって使用されるPUCCHの種類がセカンダリセルのPUCCHであり、セル識別情報に対応するセカンダリセルがPUCCHを含むセカンダリセルである場合に、セル識別情報に対応するセカンダリセルがアクティブ化された後、かつUEが基地局にチャネルサウンディング基準信号(Sounding Reference Signal、略してSRS)を送信した後に、UEにより、セル識別情報に対応するセカンダリセルのCSIレポートを適用し始めることを含む。
【００４８】
特に、UEは、セカンダリセルをアクティブ化した後、かつ基地局にSRS信号を送信した後に、セカンダリセルのCSIレポートを適用し始め、したがって、基地局は、セカンダリセルがアクティブ化されたかどうかを、受信されたSRS信号に従って判定し、UEによって送信されたCSIレポートを、SRS信号に従って受信し始める。UEがセル識別情報に対応するセカンダリセルのCSIレポートを適用し始めることは、セカンダリセルのCSIレポートが適用時間に対応する現時点のCSIレポートとその後のCSIレポートとの両方の中で運ばれることを含む。
【００４９】
本発明の実施形態5においては、上述の方法の実施形態により、任意で、CSIレポートを報告するためにセカンダリセルによって使用されるPUCCHの種類およびセカンダリセルアクティブ化コマンドに従って、セル識別情報に対応するセカンダリセルのCSIレポートの適用時間を決定することが、
CSIレポートを報告するためにセル識別情報に対応するセカンダリセルによって使用されるPUCCHの種類がセカンダリセルのPUCCHであり、セル識別情報に対応するセカンダリセルがPUCCHを含むセカンダリセルである場合に、セル識別情報に対応するセカンダリセルがアクティブ化された後、かつUEが基地局にプリアンブルを送信した後に、UEにより、セル識別情報に対応するセカンダリセルのCSIレポートを適用し始めることを含む。
【００５０】
本発明の実施形態6においては、上述の方法の実施形態により、任意で、CSIレポートを報告するためにセカンダリセルによって使用されるPUCCHの種類およびセカンダリセルアクティブ化コマンドに従って、セル識別情報に対応するセカンダリセルのCSIレポートの適用時間を決定することが、
CSIレポートを報告するためにセル識別情報に対応するセカンダリセルによって使用されるPUCCHの種類がセカンダリセルのPUCCHであり、セカンダリセルがPUCCHを用いて構成されていない場合に、PUCCHを含むセカンダリセルがアクティブ状態であるかどうかをUEによって判定すること、ならびにPUCCHを含むセカンダリセルがアクティブ状態である場合に、セカンダリセルアクティブ化コマンドが受信された後の予め設定された時点で、UEにより、セル識別情報に対応するセカンダリセルのCSIレポートを適用し始めること、またはPUCCHを含むセカンダリセルが非アクティブ状態である場合に、PUCCHを含むセカンダリセルのCSIレポートの適用時間に従って、UEにより、セル識別情報に対応するセカンダリセルのCSIレポートの適用時間を決定することを含む。
【００５１】
特に、UEは、セル識別情報に対応するセカンダリセルがセカンダリセルのPUCCHを使用してCSIを報告すると判定する場合、PUCCHを含むセカンダリセルのステータスを判定する必要がある。UEがPUCCHを含むセカンダリセルがアクティブ状態であることを知る場合、この場合、CSIレポートがプライマリセルのPUCCHを使用することによって報告される場合と同様に、UEは、セカンダリセルアクティブ化コマンドが受信された後の予め設定された時点でセカンダリセルのCSIレポートを適用し始める。UEがセル識別情報に対応するセカンダリセルのCSIレポートを適用し始めることは、セカンダリセルのCSIレポートが適用時間に対応する現時点のCSIレポートとその後のCSIレポートとの両方の中で運ばれることを含む。UEがPUCCHを含むセカンダリセルが非アクティブ状態であることを知る場合、この場合、UEは、PUCCHを含むセカンダリセルのCSIレポートの適用時間に従ってセカンダリセルのCSIレポートの適用時間を決定する必要がある。実際の応用において、PUCCHを含むセカンダリセルのCSIレポートの適用時間は、セカンダリセルのCSIレポートの適用時間と同じである。好ましくは、UEがPUCCHを含むセカンダリセルがアクティブ状態であるかどうかを判定することは、UEが基地局によって送信され、セル識別情報を運ぶセカンダリセルアクティブ化コマンドを受信するときときに実行される可能性がある。
【００５２】
本発明のこの実施形態において提供されるCSIレポートの適用時間を決定するための方法によれば、UEが、基地局によって送信された構成メッセージを受信し、CSIレポートを報告するためにセカンダリセルによって使用されるPUCCHの種類を構成メッセージに従って決定し、UEが、基地局によって送信され、セル識別情報を運ぶセカンダリセルアクティブ化コマンドを受信し、CSIレポートを報告するためにセカンダリセルによって使用されるPUCCHの種類およびセカンダリセルアクティブ化コマンドに従って、セル識別情報に対応するセカンダリセルのCSIレポートの適用時間を決定する。UEがCSIレポートを報告するためにセカンダリセルによって使用されるPUCCHの種類に従ってセカンダリセルのCSIレポートの適用時間を決定するので、セカンダリセルが予め設定された時間にCSIレポートを適用することが保証され得ないという従来技術の現象が避けられ、システムの信頼性が高められる。
【００５３】
任意で、UEが、セカンダリセルアクティブ化コマンドが受信された後の予め設定された時点で、セル識別情報に対応するセカンダリセルの非アクティブ化タイマーを始動するか、または
UEが、セカンダリセルアクティブ化コマンドが受信された後の予め設定された時点の後に、以下の動作、すなわち、基地局にリスニング基準信号を送信する動作、基地局にスケジューリング要求信号を送信する動作、もしくは物理ダウンリンク制御チャネルをリスニングする動作のうちの少なくとも1つを実行する。
【００５４】
さらに、PUCCHが導入されるセカンダリセルが少なくとも1つのセカンダリセルのCSIレポートまたはハイブリッド自動再送要求(Hybrid Automatic Repeat reQuest、略してHARQ)フィードバックを送信するように構成され得るので、PUCCHが導入されるセカンダリセルが非アクティブ化される場合、セカンダリセルは、CSIレポートまたはHARQフィードバックを送信することができない。しかし、PUCCHを使用する別のセカンダリセルが、アクティブ状態である可能性がある。したがって、データ送信の性能が影響を受ける。
【００５５】
この問題を解決するために、本発明の実施形態7においては、上述の方法により、任意で、方法が、以下をさらに含む可能性がある。
【００５６】
UEは、基地局によって送信された構成メッセージを受信し、第1のセカンダリセルのPUCCHを使用してCSIレポートおよび/またはHARQフィードバックを送信する少なくとも1つの第2のセカンダリセルの識別情報を構成メッセージに従って決定する。UEは、基地局によって送信されたセカンダリセルアクティブ化コマンドを受信し、アクティブ化コマンドは、第1のセカンダリセルおよび/または少なくとも1つの第2のセカンダリセルをアクティブ化するために使用され、UEは、セカンダリセルアクティブ化コマンドに従って第1のセカンダリセルおよび/または少なくとも1つの第2のセカンダリセルをアクティブ化し、UEは、第1のセカンダリセルを非アクティブ化する第1の条件が満たされるときに第1のセカンダリセルを非アクティブ化し、UEは、少なくとも1つの第2のセカンダリセルを非アクティブ化する第2の条件が満たされるときに少なくとも1つの第2のセカンダリセルを非アクティブ化する。
【００５７】
特に、構成メッセージは、第1のセカンダリセルの識別情報、少なくとも1つの第2のセカンダリセルの識別情報、およびマッピング関係情報を運ぶ可能性がある。たとえば、どの第2のセカンダリセルの識別情報が第1のセカンダリセルの識別情報に対応しているのかを示すために、1つの情報要素が使用される可能性がある。たとえば、第1のセカンダリセルの識別情報は1であり、第1のセカンダリセルのPUCCHを使用する第2のセカンダリセルの識別情報は2および3である。別の例として、それぞれの第2のセカンダリセルの識別情報によって使用される第1のセカンダリセルの識別情報を示すために、1つの情報要素が使用される可能性がある。下に示されるように、第2のセカンダリセルの識別情報は2であり、対応する第1のセカンダリセルの識別情報は1であり、第2のセカンダリセルの識別情報は3であり、対応する第1のセカンダリセルの識別情報は1であり、以下同様である。別の例として、第1のセカンダリセルのPUCCHを使用する第2のセカンダリセルについての情報を示すために、1つの情報要素が使用される可能性がある。下に示されるように、第1のセカンダリセルのPUCCHを使用する第2のセカンダリセルの識別情報は、2および3である。1つまたは複数の第1のセカンダリセルが、存在する可能性がある。第1のセカンダリセルの具体的な量は、本発明において限定されない。
【００５８】
さらに、第1の条件は、以下、すなわち、UEが第1のセカンダリセルを非アクティブ化するために使用される非アクティブ化コマンドを受信すること、第1のセカンダリセルの第1の非アクティブ化タイマーが終了すること、またはすべての第2のセカンダリセルが非アクティブ化されるかもしくは非アクティブ化条件を満たすことのうちの少なくとも1つを含む。
【００５９】
第2の条件は、UEが少なくとも1つの第2のセカンダリセルを非アクティブ化するために使用される非アクティブ化コマンドを受信すること、少なくとも1つの第2のセカンダリセルの第2の非アクティブ化タイマーが終了すること、第1のセカンダリセルが非アクティブ化の第1の条件を満たすこと、または第1のセカンダリセルが非アクティブ化されることである。
【００６０】
第1の条件および第2の条件は別々にまたは組み合わせて使用される可能性があることに留意されたい。
【００６１】
さらに、UEは、第1のセカンダリセルを非アクティブ化するとき、さらに、すべての第2のセカンダリセルを非アクティブ化する必要がある。
【００６２】
本発明のこの実施形態によれば、PUCCHが導入されるセカンダリセルおよびPUCCHを使用するセルが同時に非アクティブ化されることが保証され得る。これは、同期の失敗によって引き起こされる性能の低下を抑制し、データ送信の性能を保証する。
【００６３】
図2は、本発明によるCSIレポートの適用時間を決定するための装置の実施形態1の概略構造図である。図2に示されるように、本発明のこの実施形態によるCSIレポートの適用時間を決定するための装置は、受信モジュール11および決定モジュール12を含む。
【００６４】
受信モジュール11は、基地局によって送信された構成メッセージを受信するように構成され、決定モジュール12は、CSIレポートを報告するためにセカンダリセルによって使用される物理アップリンク制御チャネルPUCCHの種類を、受信モジュールによって受信された構成メッセージに従って決定するように構成され、受信モジュール11は、基地局によって送信され、セル識別情報を運ぶセカンダリセルアクティブ化コマンドを受信するようにさらに構成され、決定モジュール12は、CSIレポートを報告するためにセカンダリセルによって使用されるPUCCHの種類およびセカンダリセルアクティブ化コマンドに従って、セル識別情報に対応するセカンダリセルのCSIレポートの適用時間を決定するようにさらに構成される。
【００６５】
本発明のこの実施形態において提供されるCSIレポートの適用時間を決定するための装置によれば、UEが、基地局によって送信された構成メッセージを受信し、CSIレポートを報告するためにセカンダリセルによって使用されるPUCCHの種類を構成メッセージに従って決定し、UEが、基地局によって送信され、セル識別情報を運ぶセカンダリセルアクティブ化コマンドを受信し、CSIレポートを報告するためにセカンダリセルによって使用されるPUCCHの種類およびセカンダリセルアクティブ化コマンドに従って、セル識別情報に対応するセカンダリセルのCSIレポートの適用時間を決定する。UEがCSIレポートを報告するためにセカンダリセルによって使用されるPUCCHの種類に従ってセカンダリセルのCSIレポートの適用時間を決定するので、セカンダリセルが予め設定された時間にCSIレポートを適用することが保証され得ないという従来技術の現象が避けられ、システムの信頼性が高められる。
【００６６】
任意で、決定モジュール12は、
CSIレポートを報告するためにセル識別情報に対応するセカンダリセルによって使用されるPUCCHの種類がプライマリセルのPUCCHである場合に、受信モジュール11がセカンダリセルアクティブ化コマンドを受信した後の予め設定された時点で、セル識別情報に対応するセカンダリセルのCSIレポートを適用し始めるように特に構成される。
【００６７】
任意で、決定モジュール12は、
CSIレポートを報告するためにセル識別情報に対応するセカンダリセルによって使用されるPUCCHの種類がセカンダリセルのPUCCHであり、セル識別情報に対応するセカンダリセルがPUCCHを含むセカンダリセルである場合に、セル識別情報に対応するセカンダリセルがアクティブ化された後、かつ受信モジュール11がセカンダリセルアクティブ化コマンドを受信した後の予め設定された時点の後に、セル識別情報に対応するセカンダリセルのCSIレポートを適用し始めるように特に構成される。
【００６８】
この実施形態によるCSIレポートの適用時間を決定するための装置は、本発明のいずれかの実施形態において提供されるCSIレポートの適用時間を決定するための方法の技術的な解決策を実行するように構成され得る。装置の実装の原理および技術的な効果は、方法の実装の原理および技術的な効果と同様であり、本明細書においてさらに説明されない。
【００６９】
図3は、本発明によるCSIレポートの適用時間を決定するための装置の実施形態2の概略構造図である。図3に示されるように、図2に示された実施形態に基づいて、この実施形態において、装置は、送信モジュール13をさらに含む。
【００７０】
送信モジュール13は、基地局にチャネルサウンディング基準信号SRSを送信するように構成される。
【００７１】
決定モジュール12は、
CSIレポートを報告するためにセル識別情報に対応するセカンダリセルによって使用されるPUCCHの種類がセカンダリセルのPUCCHであり、セル識別情報に対応するセカンダリセルがPUCCHを含むセカンダリセルである場合に、セル識別情報に対応するセカンダリセルがアクティブ化された後、かつ送信モジュール13が基地局にチャネルサウンディング基準信号SRSを送信した後に、セル識別情報に対応するセカンダリセルのCSIレポートを適用し始めるように特に構成される。
【００７２】
この実施形態によるCSIレポートの適用時間を決定するための装置は、本発明のいずれかの実施形態において提供されるCSIレポートの適用時間を決定するための方法の技術的な解決策を実行するように構成され得る。装置の実装の原理および技術的な効果は、方法の実装の原理および技術的な効果と同様であり、本明細書においてさらに説明されない。
【００７３】
図4は、本発明によるCSIレポートの適用時間を決定するための装置の実施形態3の概略構造図である。図4に示されるように、図2に示された実施形態に基づいて、この実施形態において、装置は、送信モジュール14をさらに含む。
【００７４】
送信モジュール14は、基地局にプリアンブルを送信するように構成される。
【００７５】
決定モジュール12は、
CSIレポートを報告するためにセル識別情報に対応するセカンダリセルによって使用されるPUCCHの種類がセカンダリセルのPUCCHであり、セル識別情報に対応するセカンダリセルがPUCCHを含むセカンダリセルである場合に、セル識別情報に対応するセカンダリセルがアクティブ化された後、かつ送信モジュール14が基地局にプリアンブルを送信した後に、セル識別情報に対応するセカンダリセルのCSIレポートを適用し始めるように特に構成される。
【００７６】
この実施形態によるCSIレポートの適用時間を決定するための装置は、本発明のいずれかの実施形態において提供されるCSIレポートの適用時間を決定するための方法の技術的な解決策を実行するように構成され得る。装置の実装の原理および技術的な効果は、方法の実装の原理および技術的な効果と同様であり、本明細書においてさらに説明されない。
【００７７】
図5は、本発明によるCSIレポートの適用時間を決定するための装置の実施形態4の概略構造図である。図5に示されるように、図2に示された実施形態に基づいて、この実施形態において、装置は、判断モジュール15をさらに含む。
【００７８】
判断モジュール15は、PUCCHを含むセカンダリセルがアクティブ状態であるかどうかを判定するように構成される。
【００７９】
決定モジュール12は、
CSIレポートを報告するためにセル識別情報に対応するセカンダリセルによって使用されるPUCCHの種類がセカンダリセルのPUCCHであり、判断モジュール15がPUCCHを含むセカンダリセルがアクティブ状態であると判定する場合に、受信モジュール11がセカンダリセルアクティブ化コマンドを受信した後の予め設定された時点で、セル識別情報に対応するセカンダリセルのCSIレポートを適用し始めるか、または
CSIレポートを報告するためにセル識別情報に対応するセカンダリセルによって使用されるPUCCHの種類がセカンダリセルのPUCCHであり、判断モジュール15がPUCCHを含むセカンダリセルが非アクティブ状態であると判定する場合に、PUCCHを含むセカンダリセルのCSIレポートの適用時間に従って、セル識別情報に対応するセカンダリセルのCSIレポートの適用時間を決定するように特に構成される。
【００８０】
任意で、セル識別情報に対応するセカンダリセルのCSIレポートの適用時間は、セル識別情報に対応するセカンダリセルのCSIレポートが適用時間に対応する現時点のCSIレポートおよびその後のCSIレポートの中で運ばれることを含む。
【００８１】
この実施形態によるCSIレポートの適用時間を決定するための装置は、本発明のいずれかの実施形態において提供されるCSIレポートの適用時間を決定するための方法の技術的な解決策を実行するように構成され得る。装置の実装の原理および技術的な効果は、方法の実装の原理および技術的な効果と同様であり、本明細書においてさらに説明されない。
【００８２】
図6は、本発明によるCSIレポートの適用時間を決定するための装置の実施形態5の概略構造図である。図6に示されるように、図2に示された実施形態に基づいて、この実施形態において、装置は、始動モジュール16、処理モジュール17、および送信モジュール18をさらに含む。
【００８３】
始動モジュール16は、受信モジュールがセカンダリセルアクティブ化コマンドを受信した後の予め設定された時点で、セル識別情報に対応するセカンダリセルの非アクティブ化タイマーを始動するように構成される。
【００８４】
処理モジュール17は、受信モジュール11がセカンダリセルアクティブ化コマンドを受信した後の予め設定された時点の後に、以下のモジュールが以下の動作、すなわち、送信モジュール18が基地局にリスニング基準信号を送信する動作、送信モジュール18が基地局にスケジューリング要求信号を送信する動作、または処理モジュール17が物理ダウンリンク制御チャネルをリスニングする動作のうちの少なくとも1つを実行することをトリガするように構成される。
【００８５】
この実施形態によるCSIレポートの適用時間を決定するための装置は、本発明のいずれかの実施形態において提供されるCSIレポートの適用時間を決定するための方法の技術的な解決策を実行するように構成され得る。装置の実装の原理および技術的な効果は、方法の実装の原理および技術的な効果と同様であり、本明細書においてさらに説明されない。
【００８６】
図7は、本発明によるUEの実施形態1の概略構造図である。図7に示されるように、本発明のこの実施形態において提供されるUEは、受信機21およびプロセッサ22を含む。
【００８７】
受信機21は、基地局によって送信された構成メッセージを受信するように構成され、プロセッサ22は、CSIレポートを報告するためにセカンダリセルによって使用される物理アップリンク制御チャネルPUCCHの種類を、受信機21によって受信された構成メッセージに従って決定するように構成され、受信機21は、基地局によって送信され、セル識別情報を運ぶセカンダリセルアクティブ化コマンドを受信するように構成され、プロセッサ22は、CSIレポートを報告するためにセカンダリセルによって使用されるPUCCHの種類およびセカンダリセルアクティブ化コマンドに従って、セル識別情報に対応するセカンダリセルのCSIレポートの適用時間を決定するように構成される。
【００８８】
この実施形態において提供されるUEは、本発明のいずれかの実施形態において提供されるCSIレポートの適用時間を決定するための方法の技術的な解決策を実行するように構成され得る。UEの実装の原理および技術的な効果は、方法の実装の原理および技術的な効果と同様であり、本明細書においてさらに説明されない。
【００８９】
任意で、プロセッサ22は、
CSIレポートを報告するためにセル識別情報に対応するセカンダリセルによって使用されるPUCCHの種類がプライマリセルのPUCCHである場合に、受信機21がセカンダリセルアクティブ化コマンドを受信した後の予め設定された時点で、セル識別情報に対応するセカンダリセルのCSIレポートを適用し始めるように特に構成される。
【００９０】
任意で、プロセッサ22は、
CSIレポートを報告するためにセル識別情報に対応するセカンダリセルによって使用されるPUCCHの種類がセカンダリセルのPUCCHであり、セル識別情報に対応するセカンダリセルがPUCCHを含むセカンダリセルである場合に、セル識別情報に対応するセカンダリセルがアクティブ化された後、かつ受信機21がセカンダリセルアクティブ化コマンドを受信した後の予め設定された時点の後に、セル識別情報に対応するセカンダリセルのCSIレポートを適用し始めるように特に構成される。
【００９１】
図8は、本発明によるUEの実施形態2の概略構造図である。図8に示されるように、図7に示された実施形態に基づいて、この実施形態において、UEは、送信機23をさらに含む。
【００９２】
送信機23は、基地局にチャネルサウンディング基準信号SRSを送信するように構成される。
【００９３】
プロセッサ22は、
CSIレポートを報告するためにセル識別情報に対応するセカンダリセルによって使用されるPUCCHの種類がセカンダリセルのPUCCHであり、セル識別情報に対応するセカンダリセルがPUCCHを含むセカンダリセルである場合に、セル識別情報に対応するセカンダリセルがアクティブ化された後、かつ送信機23が基地局にチャネルサウンディング基準信号SRSを送信した後に、セル識別情報に対応するセカンダリセルのCSIレポートを適用し始めるように特に構成される。
【００９４】
任意で、送信機23は、基地局にプリアンブルを送信するように構成される。
【００９５】
プロセッサ22は、
CSIレポートを報告するためにセル識別情報に対応するセカンダリセルによって使用されるPUCCHの種類がセカンダリセルのPUCCHであり、セル識別情報に対応するセカンダリセルがPUCCHを含むセカンダリセルである場合に、セル識別情報に対応するセカンダリセルがアクティブ化された後、かつ送信機23が基地局にプリアンブルを送信した後に、セル識別情報に対応するセカンダリセルのCSIレポートを適用し始めるように特に構成される。
【００９６】
任意で、プロセッサ22は、
CSIレポートを報告するためにセル識別情報に対応するセカンダリセルによって使用されるPUCCHの種類がセカンダリセルのPUCCHである場合に、PUCCHを含むセカンダリセルがアクティブ状態であるかどうかを判定し、
PUCCHを含むセカンダリセルがアクティブ状態である場合に、受信機21がセカンダリセルアクティブ化コマンドを受信した後の予め設定された時点で、セル識別情報に対応するセカンダリセルのCSIレポートを適用し始めるか、または
PUCCHを含むセカンダリセルが非アクティブ状態である場合に、PUCCHを含むセカンダリセルのCSIレポートの適用時間に従って、セル識別情報に対応するセカンダリセルのCSIレポートの適用時間を決定するように特に構成される。
【００９７】
任意で、セル識別情報に対応するセカンダリセルのCSIレポートの適用時間は、セル識別情報に対応するセカンダリセルのCSIレポートが適用時間に対応する現時点のCSIレポートおよびその後のCSIレポートの中で運ばれることを含む。
【００９８】
この実施形態において提供されるUEは、本発明のいずれかの実施形態において提供されるCSIレポートの適用時間を決定するための方法の技術的な解決策を実行するように構成され得る。UEの実装の原理および技術的な効果は、方法の実装の原理および技術的な効果と同様であり、本明細書においてさらに説明されない。
【００９９】
図9は、本発明によるUEの実施形態3の概略構造図である。図9に示されるように、図7に示された実施形態に基づいて、この実施形態において、UEは、送信機24をさらに含む。
【０１００】
プロセッサ22は、受信機21がセカンダリセルアクティブ化コマンドを受信した後の予め設定された時点で、セル識別情報に対応するセカンダリセルの非アクティブ化タイマーを始動するようにさらに構成され、または
プロセッサ22は、受信機21がセカンダリセルアクティブ化コマンドを受信した後の予め設定された後に、送信機24および/もしくはプロセッサ22が以下の動作、すなわち、送信機24が基地局にリスニング基準信号を送信する動作、送信機24が基地局にスケジューリング要求信号を送信する動作、もしくはプロセッサ22が物理ダウンリンク制御チャネルをリスニングする動作のうちの少なくとも1つを実行することをトリガするようにさらに構成される。
【０１０１】
この実施形態において提供されるUEは、本発明のいずれかの実施形態において提供されるCSIレポートの適用時間を決定するための方法の技術的な解決策を実行するように構成され得る。UEの実装の原理および技術的な効果は、方法の実装の原理および技術的な効果と同様であり、本明細書においてさらに説明されない。
【０１０２】
利便で簡潔な説明を目的として、上述の機能モジュールの分割が図示のための例として使用されることは、当業者によってはっきりと理解されるであろう。実際の応用において、上述の機能は、異なる機能モジュールに割り当てられ、要件に応じて実装される可能性があり、つまり、装置の内部構造は、上述の機能のすべてまたは一部を実装するために異なる機能モジュールに分割される。上述のシステム、装置、およびユニットの詳細な作業工程に関しては、上述の方法の実施形態の対応するプロセスが参照可能であり、詳細は本明細書においてさらに説明されない。
【０１０３】
本出願において提供されたいくつかの実施形態において、開示されたシステム、装置、および方法は別様に実装され得ることを理解されたい。たとえば、説明された装置の実施形態は、例であるに過ぎない。たとえば、モジュールまたはユニットの分割は、単に論理的な機能の分割であり、実際の実装ではその他の分割である可能性がある。たとえば、複数のユニットもしくは構成要素が、組み合わされるか、もしくは別のシステムに統合される可能性があり、または一部の特徴が、無視されるか、もしくは実行されない可能性がある。加えて、示されたかまたは検討された相互の結合または直接的な結合または通信接続は、いくつかのインターフェース、装置、およびユニットの間の間接的な結合または通信接続である可能性があり、電子的、機械的、またはその他の形態で実装される可能性がある。
【０１０４】
別個の部分として説明されたユニットは、物理的に分かれている可能性があり、または分かれていない可能性がある。ユニットとして示された部分は、物理的なユニットである可能性があり、または物理的なユニットではない可能性があり、1つの位置に置かれる可能性があり、または複数のネットワークユニットに分散される可能性がある。ユニットの一部またはすべては、実施形態の解決策の目的を達成するための実際の必要に応じて選択され得る。
【０１０５】
加えて、本出願の実施形態の機能ユニットが、1つの処理ユニットに統合される可能性があり、またはユニットの各々が、物理的に独立して存在する可能性があり、または2つ以上のユニットが、1つのユニットに統合される。統合されたユニットは、ハードウェアの形態で実装される可能性があり、またはソフトウェアの機能ユニットの形態で実装される可能性がある。
【０１０６】
統合されたユニットは、ソフトウェアの機能ユニットの形態で実装され、独立した製品として販売されるかまたは使用されるとき、コンピュータ可読ストレージ媒体に記憶され得る。そのような理解に基づいて、本出願の技術的な解決策は基本的にソフトウェア製品の形態で実装される可能性があり、あるいは従来技術、または技術的な解決策のすべてもしくは一部に寄与する部分はソフトウェア製品の形態で実装される可能性がある。ソフトウェア製品は、ストレージ媒体に記憶され、本出願の実施形態において説明された方法のステップのすべてまたは一部を実行するように(パーソナルコンピュータ、サーバ、もしくはネットワークデバイスである可能性がある)コンピュータデバイスまたはプロセッサ(processor)に命じるためのいくつかの命令を含む。上述のストレージ媒体は、USBフラッシュドライブ、取り外し可能なハードディスク、読み出し専用メモリ(ROM、Read-Only Memory)、ランダムアクセスメモリ(RAM、Random Access Memory)、磁気ディスク、または光ディスクなどのプログラムコードを記憶することができる任意の媒体を含む。
【０１０７】
上述の実施形態は、単に本出願の技術的な解決策を説明するように意図されており、本出願を限定するように意図されていない。本出願が上述の実施形態に関連して詳細に説明されているが、当業者は、当業者が、本出願の実施形態の技術的な解決策の範囲を逸脱することなく、上述の実施形態で説明された技術的な解決策に対する修正をやはり行い得るか、またはそれらの技術的な解決策の一部の技術的な特徴に対して均等な置き換えを行い得ることを理解するに違いない。
【符号の説明】
【０１０８】
11  受信モジュール
12  決定モジュール
13  送信モジュール
14  送信モジュール
15  判断モジュール
16  始動モジュール
17  処理モジュール
18  送信モジュール
21  受信機
22  プロセッサ
23  送信機
24  送信機
【図１】
0006555833.tif 000002
【図２】
0006555833.tif 000003
【図３】
0006555833.tif 000004
【図４】
0006555833.tif 000005
【図５】
0006555833.tif 000006
【図６】
0006555833.tif 000007
【図７】
0006555833.tif 000008
【図８】
0006555833.tif 000009
【図９】
0006555833.tif 000010